(57)【特許請求の範囲】
【請求項１】
リール状に巻き取り収容し、接着部と切断刃を利用し、粘着材を片面に塗布した樹脂製テープから、テープ片を製作するテープカッターであって、粘着材を塗布したテープ端部を折り曲げ、粘着面同士を接着させることで非接着性のタブつきテープを作るため、
その構成として、
切断刃と接着部を上部に取り付け、カッター台とヒンジ結合され、揺動スプリングにより、常時開く方向に押し出されており、開口部を有する揺動板と、
軸部分が該開口部を通過し、開こうとする揺動板を支えるため、開口部より径を大きくした前端部を有するストッパー軸とストッパー軸を内蔵するストッパー軸外筒を設け、ストッパー軸の移動や固定のため、軸固定システムを設け、
その位置関係において、
揺動板を開いた状態で、リール状に巻き取られたテープの剥離箇所、カッター台の接着部の両端、および揺動板の接着部と切断刃の刃先を通過する包絡線が、側面から見て上向きの凸面を形成するような位置関係とし、
さらに、軸固定システムが、ストッパー軸の中ほどに設けた固定式のストップピンと、その移動範囲のストッパー軸外筒に設けたスリット状の穴と、ストッパー軸の後部に設けた起伏式ストップピンよりなる構造であり、
その機能として、
通常型テープカッターとして使用するときは、ストッパー軸を揺動板とともにカッター台方向に押し込むことで、起伏式ストップピンが外筒後端から抜け出す際に、外筒内径より突き出し、該軸が仮に固定された状態となるので、揺動板も固定され、通常型テープカッターとして使用可能となり、
他方、タブ形成型テープカッターとして使用するときは、強制的にストッパー軸を押し戻すことで、該ピンは外筒内に収まり、さらに押し戻されると、固定式ストップピンがスリット前端位置まで移動した位置で、該軸の移動が止まるので、この位置を揺動板の最大開度とした揺動操作を可能とした、タブ形成型テープカッターとして使用可能であり、
ストッパー軸の移動によりタブ形成型テープカッターとしても通常型テープカッターとしても使用できることを特徴とする汎用型テープカッター。
【請求項２】
リール状に巻き取り収容し、接着部と切断刃を利用し、粘着材を片面に塗布した樹脂製テープから、テープ片を製作するテープカッターであって、粘着材を塗布したテープ端部を折り曲げ、粘着面同士を接着させることで非接着性のタブつきテープを作るため、
その構成として、
切断刃と接着部を上部に取り付け、カッター台とヒンジ結合され、揺動スプリングにより、常時開く方向に押し出されており、開口部を有する揺動板と、
軸部分が該開口部を通過し、開こうとする揺動板を支えるため、開口部より径を大きくした前端部を有するストッパー軸とストッパー軸を内蔵するストッパー軸外筒を設け、ストッパー軸の移動や固定のため、軸固定システムを設け、
その位置関係において、
揺動板を開いた状態で、リール状に巻き取られたテープの剥離箇所、カッター台の接着部の両端、および揺動板の接着部と切断刃の刃先を通過する包絡線が、側面から見て上向きの凸面を形成するような位置関係とし、
該軸固定システムが、その構造として、
回転可能な円形断面を有し、その後端に、突起した固定式のストップピンを設けたストッパー軸と、ストッパー軸外筒の中ほどから後端までスリット状開口部を有し、ストッパー軸外筒のスリット状開口部の後端から、外筒後端面が螺旋状に後方に伸びた構造であり、
その機能として、
タブ形成型テープカッターとして使用するときは、ストッパー軸が固定された状態から、固定式ストップピンがスリット後端に至るまで逆回転させた後、 揺動板方向に引き戻し、該ストッピンがスリット前端に達し、移動が止まると、この位置までの揺動板操作が可能となるため、タブ形成型テープカッターとして使用でき、
通常型テープカッターとして使用するときは、ストッパー軸先端を揺動板とともに、カッター台方向に押し込んだ後、回転させると、固定式のストップピンがストッパー軸外筒の後端面の螺旋面を滑るうちにストッパー軸を後方に引付け、揺動板をカッター台に押し付けるので、通常型テープカッターとして使用可能であり、
ストッパー軸の移動により、タブ形成型テープカッターとしても通常型テープカッターとしても使用できることを特徴とする汎用型テープカッター。
【発明の詳細な説明】
【技術分野】
【０００１】
本発明は、片面に粘着剤が塗布され、家庭用、事務用、商業用、工業用等の各種用途に広く使用されているロール状に巻回されたテープの切断および折り返し部分を形成するテープカッターに関する。
【背景技術】
【０００２】
片面に粘着剤が塗布された樹脂製のテープは、家庭用、事務用、商業用、工業用等の各種用途に広く使用されており、ロール状に巻回された粘着テープを、粘着部分が全面に付着したまま使用する通常型テープカッターが普及しているが、仮接着に使用した後の引き剥がしが必要な場合には対応していなかった。
【０００３】
引き剥がしを容易にするには、切断時にテープ端を折り返し、粘着材が塗布された面同士を接着させて非接着とした摘み部分（タブ）を形成することが有効であるが、タブ形成を目的とするテープカッターに関する従来の技術には、適当なものは無かった。例えば、テープカッター側の接着部と開閉する切断板の組み合わせで、引き込んだテープを上向きのループ状とし、ループ下面の粘性剤が付着した面同士を付着させタブを形成する趣旨の考案があったが、簡単な構造のものでは、ループを確実に上向きにする機構が完成されていない。他方、複雑な機構によるものは、構造が複雑であるため、故障しやすい面がある他、使用が簡単ではなく、かつコストが高くなるなどの課題があり、実用的でなかった。
【０００４】
さらに、従来の技術には、通常型テープカッターとしてもタブ形成型テープカッターとしても使用できる汎用型テープカッターはなかった。
【０００５】
本発明では、簡易な構造のタブ形成型テープカッターであり、さらに、通常型テープカッターとしても使用できる汎用型テープカッターを考案した。
【０００６】
文献1〜６に、従来の簡易なタブ形成型テープカッターの例を示す。
【０００７】
文献1では、文献１図３において、歯先４が取り付けられた切断板１が、蝶番２を介してテープ受台３に取り付けられ、揺動することによりテープの折り返しを形成すると主張している。上向きループ形成にはテープ押し上げ板５が有効とし、これを歯先４から１ｍｍ程離し、約０．５ｍｍ下げて装着することで１００％上に折り曲がると主張している。この考案は、上向きループを確実に得るための物理的解明に基づくものでは無く、特定の寸法、構造等で効果を生じたと主張するものであり、寸法や構造が異なる時には適用できない。又、切断板１の揺動範囲を制限する設備や、スムースな操作に必要な復元機能や、開き状態を維持、固定する工夫がないので、迅速で安定したタブ形成は困難と考えられる。
【０００８】
文献２に、他の従来の簡易なタブ形成型テープカッターの別の例を示す。二箇所の一時的な接着面を近接することにより、粘着テープを折り曲げ、粘着面を互いに接着させるとしているが、確実に上向きのループを得る工夫が無い。さらに、スムースな操作に必要な復元機能もなく、開き状態を維持、固定する工夫がないので迅速で安定したタブ形成は困難と考えられる。
【０００９】
文献７〜９に、複雑な機構を用いるタブ形成型テープカッターの例を示す。
【００１０】
文献７では、可動切断刃、作動アーム、保持板付勢手段や可動切断刃付勢手段など揺動板以外に、複雑な機構を要している。文献８，９も同様に、複雑な機構を要している。このように、文献７〜９で示されている従来の複雑な機構による発明には、簡易な機構を目指す本願の趣旨に益するものは無い。
【先行技術文献】
【特許文献】
【００１１】
【特許文献１】特開２００２−１４５５１１
【特許文献２】実用新案登録第３０８７０１８号
【特許文献３】特開２００６−２０６３１５
【特許文献４】特開２００４−８３２７５
【特許文献５】特開平８−１１３４１５
【特許文献６】特許第５０３５８６２号
【特許文献７】特開２０１２−２１８９２４
【特許文献８】特開２０１２−１４８８２５
【特許文献９】特開２００７−２２８０２
【発明の概要】
【発明が解決しようとする課題】
【００１２】
本発明では、簡単な機構のタブ形成型テープカッターであり、簡単な操作により、通常型テープカッターとしても使用できる汎用型テープカッターの開発を課題とする。主な対策課題としては、粘着テープの付着した揺動板を閉じる操作を行う際に、確実に上向きループを得るための工夫や、切断刃が取り付けられた揺動板の揺動範囲を制限する工夫や、揺動板のスムースな操作に必要な復元機能の工夫や、揺動板の閉じ状態や開き状態を維持、固定する工夫や、タブ形成型テープカッターと通常型テープカッターと切り替え使用できる工夫の開発などがある。
【課題を解決するための手段】
【００１３】
請求項1に記載の本発明は、リール状に巻き取り収容した、粘着材を片面に塗布した樹脂製テープを、指先で引き出し、仮の接着部(以後接着部と称する)と切断刃を利用し、テープ片を製作するテープカッターであって、粘着材を塗布したテープ端部を折り曲げ、粘着面同士を接着させることで非接着性のタブつきテープを作ることができるとともに、切り替え操作により通常型テープカッターとしても使用できることを目的とし、以下のように構成した。
【００１４】
リール状に巻き取り収容し、接着部と切断刃を利用し、粘着材を片面に塗布した樹脂製テープから、テープ片を製作するテープカッターであって、粘着材を塗布したテープ端部を折り曲げ、粘着面同士を接着させることで非接着性のタブつきテープを作るため、
その構成として、
切断刃と接着部を上部に取り付け、カッター台とヒンジ結合され、揺動スプリングにより、常時開く方向に押し出されており、開口部を有する揺動板と、
軸部分が該開口部を通過し、開こうとする揺動板を支えるため、開口部より径を大きくした前端部を有するストッパー軸とストッパー軸を内蔵するストッパー軸外筒を設け、ストッパー軸の移動や固定のため、軸固定システムを設け、
その位置関係において、
揺動板を開いた状態で、リール状に巻き取られたテープの剥離箇所、カッター台の接着部の両端、および揺動板の接着部と切断刃の刃先を通過する包絡線が、側面から見て上向きの凸面を形成するような位置関係とし、
さらに、軸固定システムが、ストッパー軸の中ほどに設けた固定式のストップピンと、その移動範囲のストッパー軸外筒に設けたスリット状の穴と、ストッパー軸の後部に設けた起伏式ストップピンよりなる構造であり、
その機能として、
通常型テープカッターとして使用するときは、ストッパー軸を揺動板とともにカッター台方向に押し込むことで、起伏式ストップピンが外筒後端から抜け出す際に、外筒内径より突き出し、該軸が仮に固定された状態となるので、揺動板も固定され、通常型テープカッターとして使用可能となり、
他方、タブ形成型テープカッターとして使用するときは、強制的にストッパー軸を押し戻すことで、該ピンは外筒内に収まり、さらに押し戻されると、固定式ストップピンがスリット前端位置まで移動した位置で、該軸の移動が止まるので、この位置を揺動板の最大開度とした揺動操作を可能とした、タブ形成型テープカッターとして使用可能であり、
ストッパー軸の移動により、タブ形成型テープカッターとしても通常型テープカッターとしても使用できることを特徴とする汎用型テープカッターである。
【００１５】
請求項２に記載の発明は、
前記、請求項１における、軸固定システムが、
その構造として、
回転可能な円形断面を有し、その後端に、突起した固定式のストップピンを設けたストッパー軸と、ストッパー軸外筒の中ほどから後端までスリット状開口部を有し、ストッパー軸外筒のスリット状開口部の後端から、外筒後端面が螺旋状に後方に伸びた構造であり、
その機能として、
タブ形成型テープカッターとして使用するときは、ストッパー軸が固定された状態から、固定式ストップピンがスリット後端に至るまで逆回転させた後、 揺動板方向に引き戻し、該ストッピンがスリット前端に達し、移動が止まると、この位置までの揺動板操作が可能となるため、タブ形成型テープカッターとして使用でき、
通常型テープカッターとして使用するときは、ストッパー軸先端を揺動板とともに、カッター台方向に押し込んだ後、回転させると、固定式のストップピンがストッパー軸外筒の後端面の螺旋面を滑るうちにストッパー軸を後方に引付け、揺動板をカッター台に押し付けるので、通常型テープカッターとして使用可能であり、
ストッパー軸の移動により、タブ形成型テープカッターとしても通常型テープカッターとしても使用できることを特徴とする汎用型テープカッターである。
【００１６】
【発明の効果】
【００１７】
前記構成により、この発明は、以下のような効果を有する。
【００１８】
請求項１の構成では、
揺動板を開いた状態で、リール状に巻き取られたテープの剥離箇所、カッター台の接着部の両端、および揺動板の接着部と切断刃の刃先を通過する包絡線が、図２（ｃ）で示すように、側面から見て上向きの凸面を形成するような位置関係とするが、この位置関係であると、
（１）粘着テープ始点および揺動板側の接着部が、図2（ａ）に示すように、粘着テープがカッター台接着部に両サイドからしっかり押し付けられ付着される効果を生ずる。  
又、（２）カッター台接着部の延長線と、揺動板側接着部と切断刃の刃先の延長線とが、その交角が、図５に示すように１８０度未満となる（上方に突き出た）位置関係でもあるため、この間のテープは当初、強制的に直線的に貼り付けられているが、揺動板を閉じるにつれ、横方向の引張り力が弱まり、上方に突き出た状態に戻ろうとする内部応力が働くので、必ず上向きループを形成する効果を生ずる。
又、本発明では、ストッパー軸の移動により、（１）揺動板を開けば、タブ形成型テープカッターとして使用でき、（２）揺動板を固定すれば通常型テープカッターとして使用するものだが、
請求項１の発明では、軸固定システムとして、ストッパー軸の中ほどに設けた固定式のストップピンと、その移動範囲のストッパー軸外筒に設けたスリット状の穴と、ストッパー軸の後部に設けた起伏式ストップピンよりなる構造を設ける。
タブ形成型テープカッターとして使用するときは、後方に移動し固定状態にあった（直前の通常型テープカッターとして使用のため）ストッパー軸の後端を、揺動板方向に押しこむことにより、ストッパー軸後端の起伏式ストップピンが強制的にストッパー軸外筒内に押し込まれ、ストッパー軸中ほどの固定式ストップピンもストッパー軸外筒に明けられたスリット内を移動し、その前端位置で（ストッパー軸の前端が揺動板の最大開度位置となるように設定しておく）固定されるので、すばやく（揺動スプリングの復元力により揺動板は自動的に最大開度位置に戻るため）、安定した揺動板操作が可能となり、タブ付きテープ片が確実に生成できるタブ形成型テープカッターとして使用できる。
他方、通常型テープカッターとして使用するときは、タブ形成型テープカッターとして使用のため、前方に移動していたストッパー軸の前端（帽子状端部と称する）を揺動板とともに押し込むと、起伏スプリングがストッパー軸外筒より抜け出し、ストッパー軸の戻りを防止するため、揺動板がカッター台に押し付けられ、仮に固定された状態を維持することができるので、通常型テープカッターとして使用できる。
このように、起伏式のストップピン等の特徴のあるストッパー軸の移動により、タブ形成型テープカッターと通常型テープカッターへの切り替えがすばやくできる汎用型テープカッターを提供できる。
【００１９】
請求項２の構成では、
揺動板を開いた状態で、リール状に巻き取られたテープの剥離箇所、カッター台の接着部の両端、および揺動板の接着部と切断刃の刃先を通過する包絡線が、図２（ｃ）で示すように、側面から見て上向きの凸面を形成するような位置関係とするが、この位置関係であると、
（１）粘着テープ始点および揺動板側の接着部が、図2（ａ）に示すように、粘着テープがカッター台接着部に両サイドからしっかり押し付けられ付着される効果を生ずる。  
又、（２）カッター台接着部の延長線と、揺動板側接着部と切断刃の刃先の延長線とが、その交角が、図５に示すように１８０度未満となる（上方に突き出た）位置関係でもあるため、この間のテープは当初、強制的に直線的に貼り付けられているが、揺動板を閉じるにつれ、横方向の引張り力が弱まり、上方に突き出た状態に戻ろうとする内部応力が働くので、必ず上向きループを形成する効果を生ずる。
又、本発明では、ストッパー軸の移動により、（１）揺動板を開けば、タブ形成型テープカッターとして使用でき、（２）揺動板を固定すれば通常型テープカッターとして使用するものだが、
軸固定システムとして、回転可能な円形断面を有し、その後端に、突起した固定式のストップピンを設けたストッパー軸と、ストッパー軸外筒の中ほどから後端までスリット状開口部を有し、ストッパー軸外筒のスリット状開口部の後端から、外筒後端面が螺旋状に後方に伸びた構造とするので、
タブ形成型テープカッターとして使用するときは、固定状態にあるストッパー軸を、ストップピンがスリット位置に至るまで逆回転させ、さらにストップピンがスリット前端で止まるまで、軸方向に引き戻すと、先端部の移動位置までの揺動板操作が可能となり、タブ形成型テープカッターとして使用できる効果がある。
又、通常型テープカッターとして使用するときは、ストッパー軸の先端部を、カッター台方向に最後まで押し込むと、ストッピンはストッパー軸外筒の後端より抜け出し、次に、回転させると、ストッピンは斜面状の螺旋面を滑るにつれて、後方に移動するので、ストッパー軸および揺動板が後方に引付けられるうちにカッター台にしっかり押し付けられ、固定されるので、通常型テープカッターとして使用できる効果がある。
このように、後端に固定式のストップピンを有する等の特徴のあるストッパー軸の移動により、タブ形成型テープカッターと通常型テープカッターへの切り替えがすばやくできる汎用型テープカッターを提供できる。
【００２０】
【図面の簡単な説明】
【００２１】
【図１】本発明の実施形態１に係る概要図で、同（ａ）は側面図、同（ｂ）はその正面図である。
【図２】図１のタブ形成に関わる部分の詳細図で、タブ形成時に揺動板７を開いた状態を示し、同（ａ）は断面図、同（ｂ）はストッパー部の斜視図である。同（ｃ）は、上向きの包絡線となる位置関係であることを図で示す。
【図３】実施形態１のタブ形成に関わる詳細図で、通常型のテープカッター作業のため、揺動板７を閉じた状態を示し、同（ａ）は断面図、同（ｂ）はストッパー部分の斜視図である。
【図４】実施形態１の機能説明図で、タブ形成時の一連の操作を説明する。同（a）はスタート状態、同（ｂ）は、テープ２１が上向きに変形していく状況、同（ｃ）は指でつまみ、タブ形成の状況、同(d)は、指を離し、揺動板が開いた後に、形成されたタブを引張り、切断刃１２に押し付けた状態を示し、次のテープ片の切り離しの直前の状況を示す。
【図５】本発明の構成では、必ず上向きのループができる原理を説明する。同（ａ）は、包絡線が、上向きの凸面を形成している状況で、テープをハサミで切断したと仮定したイメージ図である。同（ｂ）は、上向きの包絡線となる位置関係のため、接着部のテープには上向きの内部応力が働いており、ハサミで切断すると、それが顕在化しテープ２０の断片が上向きとなることの説明図、同（ｃ）は、上記のような状況のため、揺動板を閉じると必ず上向きのループが形成されることの説明図である。
【図６】実施形態１を、通常型テープカッターとして使用する場合の説明図である。
【図７】本発明の実施形態２に係る概要図で、タブ形成型テープカッターとして使用するため、揺動板を開いた状態を示す。同（ａ）は側面断面図、同（ｂ）はストッパー軸および外筒を説明する斜視図である。
【図８】実施形態２を、通常型テープカッターとして使用する場合の説明図である。同（ａ）は側面断面図、同（ｂ）はストッパー軸および外筒を説明する斜視図である。
【図９】実施形態３を説明する概要図で、同（ａ）はタブ形成型テープカッターとして使用するためストッパー軸を開いた状態を示す側面断面図、同（ｂ）は通常型テープカッターとして使用するため、ストッパー軸を閉じた状態を示す側面断面図である。
【発明を実施するための形態】
【００２２】
本発明を実施するための最良の形態は、以下の実施形態１について述べるような形態である。
【００２３】
〔第一の実施形態〕
以下、本発明の実施形態１について、図を用いて説明する。
【００２４】
図１は、本実施形態１に係る概要図で、同（ａ）は側面図（一部断面図）、同（ｂ）はその正面図である。図１（ａ）では、カッター台１にロール状に巻回された粘着テープ２を収納している。粘着テープ３が引きだされ、カッター台１の接着面４、揺動板上部に設けられた揺動板側の接着面５および切断刃１２に接着した状態を示す。切断刃１２はノコギリ歯状のものが好ましい。揺動板７には、その中央部近辺にストッパー軸６ａとの間に隙間を設け、出し入れを阻害せぬ開口部７aを設けてある。図示を省略している揺動スプリング１０により揺動板7が常時、開き方向に押し出されているが、ストッパー軸６aの先端にあり、開口サイズより大きい帽子状端部６ｂが、ストップをかけている。図１（ｂ）は、揺動板７、揺動板側の接着部５、切断刃１２、およびストッパー軸６aの正面における位置関係をしめす。ストッパー軸６aは、丸棒タイプの場合を図示するが、限定するものではない。
【００２５】
図２は図１のタブ形成に関わる部分の詳細図で、タブ形成型テープカッターとして使用するため、揺動板７を開いた状態を示し、同（ａ）は断面図、同（ｂ）はストッパー部の斜視図である。
【００２６】
図２（ａ）は、図１のタブ形成に関わる部分の拡大図であり、揺動板を開いた状態で、リール状に巻き取られた粘着テープ始点８、カッター台の接着部４の両端、および揺動板の接着部５と切断刃１２の刃先を通過する包絡線が、上向きの凸面を形成するような位置関係にあるため、カッター台側の接着部４の両端と、揺動板側の接着部５と切断刃１２の刃先の延長線は上方でクロスする（交差角度１９が180度未満）位置関係となっている。このような位置関係において、直前のテープ切断操作で、左右の強い引張り力で押し付けられ接着しているテープ２０は、横方向の引張り力がなくなると、それぞれの接着面の接線方向に戻ろうとするため、延長線の交角が１８０度未満である両接着部を近づけ、テープを横から圧すると、上向きループが必ず形成されることになる。
【００２７】
図２（ａ）において、揺動板７は、その下部のヒンジ部９により揺動自由に支持され、接続部１１を介して、カッター台１に支持されている。揺動板７とカッター台１の間には、 揺動スプリング１０を設け、揺動板7を常時、開き方向に押し出している。
【００２８】
接続部１１は、ヒンジ部９をカッター台に固定するための部材であるが、固定方法としては、ヒンジ部９と一体化する方法や、ヒンジ部と結合した別部材とするなどの方法、カッター台1と接着剤やネジで結合する方法などでもよく、カッター台１と一体化してもよい。
【００２９】
揺動板７に設けられた開口部7aは、ストッパー軸６aが通過するようストッパー軸６ａの直径より大きいが、ストッパー軸6aの先端に設けられた帽子状端部６ｂより小さくし、揺動板７の開き作動を止めることができる構造とする。
【００３０】
ストッパー軸６ａの内部は中空とし、起伏スプリング１４により、常に突出するよう押上げられている起伏ストップピン１４ａを内蔵する。
【００３１】
ストッパー軸外筒６ｄから外に出ない部分のストッパー軸６ａに、突起する固定式のストップピン６ｅを取り付け、その移動範囲（揺動板の固定位置〜揺動板最大開き位置）には外筒にスリット６ｆで示す切れ目を入れる。
【００３２】
ストッパー軸外筒６ｄは、カッター台１に、接着剤など化学的手段により固定するか、外筒の外側にネジなどの物理的手段により固定してもよく、一体構造としてもよい。
【００３３】
図2（ｂ）は、タブ形成作業のため、ストッパー軸６aを押し出す操作を説明する斜視図である。ストッパー軸後部６ｃを指先で押すと、起伏ストップピン１４ａはストッパー軸外筒６ｄ内に押し込まれ、ストップピン６ｅがスリット６ｆの先端に達する位置まで移動しここで移動が停止し、帽子状端部６ｂの移動も停止し、この位置を最大開き位置とした揺動板操作を可能とする。図2（ｃ）は、上向きの包絡線となる位置関係であることを図で示す。
【００３４】
図３は、タブ形成に関わる詳細図で、通常型のテープカッター作業のため、揺動板７を閉じた状態を示し、同（ａ）は断面図、同（ｂ）はストッパー部分の斜視図である。
【００３５】
図３（ａ）は、通常型テープカッター作業のため、帽子状端部６ｂを最後まで押し込んだ結果、ストッパー軸６ａの後端に取り付けた起伏ストップピン１４ａがストッパー軸外筒の後端２３より抜け出し、外筒後端の内径を超えて飛び出した状態を示す。この結果、ストッパー軸６ａが 揺動スプリング１０により引き戻されることを防止し、揺動板7の移動を止める（固定する）役割を果たす。揺動板が固定されるので、通常のテープカッターと同じ操作要領でテープ片を製作することが可能となる。
【００３６】
図３（ｂ）は、帽子状端部６ｂを押し込んだときの各部の位置関係を表わす斜視図である。起伏ストップピン１４aがストッパー軸外筒後端２３の後端の内径を超えて飛び出した状態を示す。又、固定式のストップピン６eは、スリット６fの後端まで押し込まれた状態を示す。
【００３７】
図４は、タブ形成時の一連の操作と効果を説明する断面図。
【００３８】
図４（ａ）は、直前の操作により、テープが切断刃１２まで引っ張り出され、張り付いている状態を示す。新たなテープ片製作のためのスタート状態である。揺動板７が開かれた状態で、リール状に巻き取られた粘着テープの剥離する粘着テープ始点８、カッター台側の接着部４の両端および揺動板側の接着部５と切断刃１２の刃先を通過する包絡線が、上向きの凸面を形成するような位置関係にあるので、テープ２０には後述の図５で説明するように、上向きに変形するような内部応力が働いているが、まだ左右に引張られているので、見掛けは真直ぐである。
【００３９】
同（ｂ）は、左手の人差し指と親指を使い、揺動板７を閉じるにつれて、テープ２１に働く左右の引張り力が減少し、横方向から圧縮力が増えるにつれて、後述の図5で説明する内部応力の働きで、テープ２１が上向きに変形していくことを表わす図である。
【００４０】
同（ｃ）は、揺動板７を最後まで押し込んだ結果、上向きループ状に変形したテープ２１を、親指と人差し指で掴み、非接着部（タブ）を形成する状況を説明している。図示してないが、形成したタブを掴んだ後、テープをまず上方に所定長さ、直線的に引き出す。
【００４１】
同（d）では、次に、揺動板７を抑えていた指を離した後、引き出したテープをカッター台１および揺動板７の接着部および切断刃に押し付け、タブ付きテープ片を切断し製作する様子を示す。なお、テープ切断時に、揺動板７とカッター台１の間に親指を差し入れることで、揺動板７が押し付け力の分力により、動いてしまうことを防止することができる。
【００４２】
本発明の構成とすると、上向きループが必ずできる原理を図５により説明する。
【００４３】
本発明では、接着部と切断刃先が上向き包絡線となる配置とするため、図５（ａ）で示すように、カッター台側の接着部４の両端の延長線と、揺動板側の接着部５と切断刃１２の刃先の延長線は上方でクロスする（交差角度１９が１８０度未満）位置関係であるので、両接着部を近づけると、上向きループが必ず形成されることになる。
図５は、この原理を実験的に説明するもので、左右の接着部の延長線の交差角度１９が１８０度未満である接着部間のテープ２０は、引張力で真っ直ぐに接着しているが、その中央部を仮にハサミで切断すれば、同（ｂ）のように切断片３ａ，３ｂは接着面の方向に変形することは簡単な実験でも確かめられる。従って、両接着部の延長線が上方でクロスする位置関係としているので、同（ｃ）のように、揺動板７を閉じると、必ず上向きのループが形成される。
【００４４】
図６は、実施形態１のカッターを通常型テープカッターとして使用する場合について説明する断面図である。
【００４５】
帽子状端部６ｂを押し込むことで、揺動板７をテープカッター台１に押し付ける。このとき、起伏ピン１４aは、ストッパー軸外筒よりはみ出すため、ストッパー軸６aの戻りを阻止するので、揺動板７は固定され、通常のテープカッターと同じ操作要領でテープ片を製作することが可能となる。
【００４６】
〔第二の実施形態〕
以下、本発明の実施形態２について、図を用いて説明する。
【００４７】
本実施形態２では、タブ形成機能や通常型テープカッターのテープ片の製作に関わる基本的な機能は実施形態１と同一であるが、ストッパー軸およびストッパー軸外筒の構造、操作、効果の一部に差異があるので、この点につき図７以下で説明する。
【００４８】
図７は本実施形態２の構造を図示するもので、同（ａ）は側面断面図、同（ｂ）は、ストッパー部分の斜視図である。
【００４９】
図７（ａ）は、タブ形成型テープカッターとして使用のため、揺動板を開いた状態を示す。ストッパー軸１７aの引き抜き防止のため、ストップピン１７ｅを設け、ストッパー軸外筒１７ｄの後端より前方に帽子状端部の移動範囲に対応したスリット状開口部１７ｆを設け、さらに、ストッパー軸外筒後端２３は、スリット１７ｆの後端部を始点として、螺旋状に後方に向けて端面が伸びた構造としている。スリット１７ｆの前端でストップピン１７eの移動が止まり、帽子状端部の移動も止まった位置が、揺動板の最大開き位置となる。
【００５０】
図７（b）は、同（a）の状態におけるストッパー軸とストッパー軸外筒の関係を図示する
【００５１】
図８は,通常型テープカッターとして使用のため、揺動板を閉じた状態を示す。
【００５２】
図８（ａ）では、ストッパー軸の先端部１７ｂを、カッター台１方向に最後まで押し込むと、ストッピン１７eはストッパー軸外筒の後端２３より後方にはみだし、次に、回転させると、ストッピン後端２３の斜面状の螺旋面を滑るにつれて、ストッパー軸１７aが後方に引付けられるので、揺動板７がカッター台1にしっかり押し付けられ、固定し、通常型テープカッターとして使用できることを図示する。
【００５３】
図８（b）では、ストップピン１７eがスリット１７ｆに至るまでストッパー軸１７aを、逆回転させ、さらにストップピン１７eがスリット１７ｆ前端で止まるまで、軸方向に引き戻すと、先端部の移動位置までの揺動板操作が可能となり、タブ形成型テープカッターとして使用できる。
【００５４】
〔第三の実施形態〕
以下、本発明の実施形態３について、図を用いて説明する。
【００５５】
本実施形態３では、タブ形成型テープカッターとして使用する場合および通常型テープカッターとして使用する場合、タブ形成機能や通常型テープカッターのテープ片の製作に関わる基本的な機能は、実施形態１と同一であるが、ストッパー軸およびストッパー軸外筒の構造、操作、効果の一部に差異があるので、この点につき図９以下で説明する。
【００５６】
図９により本実施形態３の構造を図示する。
【００５７】
実施形態３では、実施形態１で説明した、ストッパー軸の起伏ストップピンとストップピンを取り付けたストッパー軸や、その中央部にスリット状開口部を設けたストッパー軸外筒の代わりに、その内面を雌ネジ加工したストッパー軸外筒１８ｄと表面に雄ネジ加工し、後端には抜け止めのためのストッパー軸よりサイズの大きいストッパー軸後端１８ｃをとりつけ、先端に帽子状端部１８ｂを設けた、ストッパー軸１８ａを設ける。
【００５８】
図９（a）はタブ形成型テープカッターとして使用する場合を示す。
【００５９】
図９(ａ）のように、帽子状端部１８ｂを逆方向にねじって、揺動板の最大開き位置に対応してセットされているストッパー軸後部１８ｃに行き止めされるまで巻き戻す。ストッパー軸外筒１８ｄの雌ネジとストッパー軸１８ａの雄ネジ間の摩擦力によりストッパー軸１８ａの前後移動を阻止することができる。ねじ込み量を調整することで、揺動板７を所望の開度にセットすることもできる。従って、長いタブを形成するときはネジ戻して大きな開度で揺動操作を行い、短いタブを形成するときは、ねじ込んで小さな開度で 揺動操作を行うことができる。
【００６０】
通常型テープカッターとして使用する場合は、同(ｂ）のように、帽子状端部１８ｂを最後までねじ込んで、揺動板７をカッター台１に押し付け固定する。使用法は通常型テープカッターと同様である。
【００６１】
以上、本発明の各実施形態について説明したが、各部の材質は、プラスチックもしくはステンレスなどの金属製が好ましいが限定されない。また、本発明は前記の各実施形態で述べたものに限定されるものでなく、さまざまな修正や変更が可能である。例えば、本発明のタブ形成機能のみ使用する場合は、ストッパー軸は移動可能とせず、カッター台に固定してもよく、各種ストップピンやストッパー軸外筒のスリット穴は不要である。又、実施形態１の起伏ストップピン１４ａがストッパー軸外筒６ｄの後端よりはみ出す代わりに，外筒に開けた穴に至るとはみ出す構造でも良い。
【符号の説明】
【００６２】
１  カッター台 
２  巻回された粘着テープ 
３  粘着テープ 
３ａ 、３ｂ  粘着テープ切断片 
４  接着面 
５  接着部
６ａ、１７ａ、１８ａ  ストッパー軸 
６ｂ、１７ｂ、１８ｂ  帽子状端部 
６ｃ、１７ｃ、１８ｃ  ストッパー軸後部 
６ｄ、１７ｄ、１８ｄ  ストッパー軸外筒 
６ｅ、１７ｅ  ストップピン 
６ｆ、１７ｆ  スリット 
７  揺動板 
７a  開口部 
８  粘着テープ始点 
９  ヒンジ部 
１０   揺動スプリング 
１１  テープ台への接続部 
１２  切断刃 
１４  起伏スプリング 
１４ａ  起伏ストップピン 
１９  接着面交角 
２０  変形前のテープ 
２０ａ、２０ｂ  切断部粘着テープ 
２１  変形後のテープ 
２２  折り返し部 
２３  ストッパー軸外筒後端
２４  上向きの包絡線 
【要約】      （修正有）【課題】粘着材を塗布したテープ端部を折り曲げ、粘着面同士を接着させることで非接着性のタブつきテープを作ることができ、ストッパー軸の移動により、タブ形成用途にも通常型用途にも使用できる汎用型のテープカッターを提供する。【解決手段】粘着テープ３の剥離始点とカッター台１の接着面４や揺動板７と切断刃１２などの位置関係を、タブ形成に必要な、確実に上向きループ状のテープが形成できる構成とするとともに、切断刃と接着部５を取り付け、カッター台とヒンジ結合されており、揺動自在で、開口部７ａを有する揺動板を開くとタブ形成用途で使え、揺動板を固定すると通常用途で使えるよう、該開口部を貫通し、移動可能で揺動板の開閉を制御する、ストッパー軸６ａと、それを内蔵しカッター台に固定支持されたストッパー軸外筒６ｄを設け、ストッパー軸の移動によりタブ形成型と通常型テープカッターを切り替え使用できる。【選択図】図１【図１】
0005530010.tif 000002
【図２】
0005530010.tif 000003
【図３】
0005530010.tif 000004
【図４】
0005530010.tif 000005
【図５】
0005530010.tif 000006
【図６】
0005530010.tif 000007
【図７】
0005530010.tif 000008
【図８】
0005530010.tif 000009
【図９】
0005530010.tif 000010